(57)【要約】【課題】電気光学装置の有効画素以外の画素の影響によって発生する表示画像の品質低下を抑制可能な画像表示装置を提供する。【解決手段】画像表示装置（プロジェクター１）は、入力される画像情報に基づいて、電気光学装置（液晶ライトバルブ１２Ｒ，１２Ｇ，１２Ｂ）の有効画素領域内の各画素の階調を表す第１の画像データを生成する第１の画像データ生成部（画像処理部３１）と、電気光学装置の有効画素領域の外側に相当し、画素値を有する画素データ群である外側画像データを、第１の画像データに付加した第２の画像データを生成する第２の画像データ生成部（見切り画素付加部３２、ダミー画素付加部３３）と、第２の画像データに対して、電気光学装置の特性に応じた画像補正を行う画像補正部３４と、画像補正部３４で画像補正された第２の画像データに基づいて電気光学装置を駆動するパネル駆動部（液晶駆動部１４）と、を備える。【選択図】図１
2014098819.tif 000002
【特許請求の範囲】
【請求項１】
入力される画像情報に基づいて、電気光学装置の有効画素領域内の各画素の階調を表す第１の画像データを生成する第１の画像データ生成部と、
前記電気光学装置の前記有効画素領域の外側に相当し、画素値を有する画素データ群である外側画像データを、前記第１の画像データに付加した第２の画像データを生成する第２の画像データ生成部と、
前記第２の画像データに対して、前記電気光学装置の特性に応じた画像補正を行う画像補正部と、
前記画像補正部で画像補正された前記第２の画像データに基づいて前記電気光学装置を駆動するパネル駆動部と、
を備えることを特徴とする画像表示装置。
【請求項２】
請求項１に記載の画像表示装置であって、
前記外側画像データには、前記電気光学装置上において、画像の表示位置を調整する際に使用される予備画素データを含むことを特徴とする画像表示装置。
【請求項３】
請求項１または２に記載の画像表示装置であって、
前記外側画像データには、前記電気光学装置のダミー画素に相当するダミー画素データを含むことを特徴とする画像表示装置。
【請求項４】
電気光学装置を有する画像表示装置の制御方法であって、
入力される画像情報に基づいて、前記電気光学装置の有効画素領域内の各画素の階調を表す第１の画像データを生成する第１の画像データ生成ステップと、
前記電気光学装置の前記有効画素領域の外側に相当し、画素値を有する画素データ群である外側画像データを、前記第１の画像データに付加した第２の画像データを生成する第２の画像データ生成ステップと、
前記第２の画像データに対して、前記電気光学装置の特性に応じた画像補正を行う画像補正ステップと、
前記画像補正ステップによって画像補正された前記第２の画像データに基づいて前記電気光学装置を駆動するパネル駆動ステップと、
を備えることを特徴とする画像表示装置の制御方法。
【発明の詳細な説明】
【技術分野】
【０００１】
本発明は、画像表示装置、および画像表示装置の制御方法に関する。
【背景技術】
【０００２】
従来、液晶プロジェクターにおいて、液晶パネル等の表示デバイスの入出力特性、画像信号の信号処理回路等の電気的特性、光学系の光学特性等のばらつきに起因して、投写画像に色むらが発生することがある。このような色むらを補正するために、色むらの発生している画素の画素データを補正して色むらを抑制する色むら補正回路を備えたプロジェクターが知られている（例えば、特許文献１）。
【０００３】
また、液晶パネルにおいて、縦方向の電界により駆動されるべき液晶に対して、横電界が加わると、液晶の配向不良（リバースチルトドメイン）が発生し、表示上の不具合が発生してしまう。このようなリバースチルトドメインを低減する技術（補正処理）が知られている（例えば、特許文献２）。
【先行技術文献】
【特許文献】
【０００４】
【特許文献１】特開２００２−９０８８０号公報
【特許文献２】特開２０１１−１７０２３５号公報
【発明の概要】
【発明が解決しようとする課題】
【０００５】
プロジェクターの液晶パネルには、表示に寄与する有効画素領域の周囲に複数ピクセルのダミー画素等を備えている。このようなダミー画素にも所定の電圧が印加されている。このような有効画素以外のダミー画素が備わっている場合、有効画素がダミー画素からの影響を受けて、表示品質の低下をまねく場合がある。また、従来、プロジェクターにおける液晶パネルに対する各種の補正処理（色むら補正、リバースチルトドメイン補正等）は、液晶パネルの有効画素のみに対して行われていたため、有効画素以外のダミー画素等から受ける影響に対しては、十分に対応できていないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、入力される画像情報に基づいて、電気光学装置の有効画素領域内の各画素の階調を表す第１の画像データを生成する第１の画像データ生成部と、前記電気光学装置の前記有効画素領域の外側に相当し、画素値を有する画素データ群である外側画像データを、前記第１の画像データに付加した第２の画像データを生成する第２の画像データ生成部と、前記第２の画像データに対して、前記電気光学装置の特性に応じた画像補正を行う画像補正部と、前記画像補正部で画像補正された前記第２の画像データに基づいて前記電気光学装置を駆動するパネル駆動部と、を備えることを特徴とする。
【０００８】
このような画像表示装置によれば、第１の画像データ生成部は、入力される画像情報に基づいて、電気光学装置の有効画素領域内の各画素の階調を表す第１の画像データを生成する。第２の画像データ生成部は、電気光学装置の有効画素領域の外側に相当し、画素値を有する外側画像データを、第１の画像データに付加した第２の画像データを生成する。画像補正部は、第２の画像データに対して、電気光学装置の特性に応じた画像補正を行う。パネル駆動部は、画像補正された第２の画像データに基づいて電気光学装置を駆動する。これにより、第１の画像データに外側画像データが付加された第２の画像データに対して画像補正を行うため、有効画素領域以外の外側画像データによる表示画像への影響を、抑制することが可能になる。
【０００９】
［適用例２］上記適用例に係る画像表示装置において、前記外側画像データには、前記電気光学装置上において、画像の表示位置を調整する際に使用される予備画素データを含むことを特徴とする。
【００１０】
このような画像表示装置によれば、外側画像データには予備画素データを含む。これにより、予備画素データについても、補正処理をかけることができるため、予備画素データによる表示画像への影響を抑制することが可能になる。
【００１１】
［適用例３］上記適用例に係る画像表示装置において、前記外側画像データには、前記電気光学装置のダミー画素に相当するダミー画素データを含むことを特徴とする。
【００１２】
このような画像表示装置によれば、外側画像データにはダミー画素データを含む。これにより、ダミー画素データも、表示画素領域の画素に対して影響を与える場合があるため、ダミー画素データに対して補正処理を行うことによって、表示画像への影響を抑制することが可能になる。
【００１３】
［適用例４］本適用例に係る画像表示装置の制御方法は、電気光学装置を有する画像表示装置の制御方法であって、入力される画像情報に基づいて、前記電気光学装置の有効画素領域内の各画素の階調を表す第１の画像データを生成する第１の画像データ生成ステップと、前記電気光学装置の前記有効画素領域の外側に相当し、画素値を有する画素データ群である外側画像データを、前記第１の画像データに付加した第２の画像データを生成する第２の画像データ生成ステップと、前記第２の画像データに対して、前記電気光学装置の特性に応じた画像補正を行う画像補正ステップと、前記画像補正ステップによって画像補正された前記第２の画像データに基づいて前記電気光学装置を駆動するパネル駆動ステップと、を備えることを特徴とする。
【００１４】
このような画像表示装置の制御方法によれば、第１の画像データに外側画像データが付加された第２の画像データに対して画像補正を行うため、有効画素領域以外の外側画像データの影響による表示画像への影響を、抑制することが可能になる。
【００１５】
また、上述した画像表示装置、および画像表示装置の制御方法が、画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１６】
【図１】実施形態に係るプロジェクターの概略構成を示すブロック図。
【図２】液晶パネルの画素領域の説明図。
【図３】見切り画素データについての説明図であり、（ａ）は、入力された画像情報に基づく有効画像データの説明図、（ｂ）は、見切り画素データを付加した表示画像データの説明図。
【図４】ダミー画素データを付加した全体画像データの説明図。
【発明を実施するための形態】
【００１７】
（実施形態）
以下、画像表示装置の実施形態として、光源から射出された光を画像情報に基づいて変調して光学像を形成し、この光学像を外部のスクリーン等に投写するプロジェクターについて、図面を参照して説明する。
【００１８】
図１は、本実施形態に係るプロジェクターの概略構成を示すブロック図である。
図１に示すように、プロジェクター１は、画像投写部１０、制御部２０、操作受付部２１、画像情報入力部３０、画像処理部３１、見切り画素付加部３２、ダミー画素付加部３３、画像補正部３４等を備えている。
【００１９】
画像投写部１０は、光源としての光源装置１１、電気光学装置（「光変調装置」ともいう）としての３つの液晶ライトバルブ１２Ｒ，１２Ｇ，１２Ｂ、投写光学系としての投写レンズ１３、パネル駆動部としての液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２０】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された液晶パネル等によって構成される。液晶パネルは、複数の画素がマトリクス状に配列された矩形状の画素領域を備えており、液晶に対して画素毎に駆動電圧を印加可能になっている。
【００２２】
ここで、液晶パネルの画素領域について説明する。なお、液晶パネルは、液晶ライトバルブ１２Ｒ，１２Ｇ，１２Ｂ毎に備えられているが、構成は同様であるため、ここでは、１つの液晶パネルについて説明する。
図２は、液晶パネルの画素領域の説明図である。
【００２３】
図２に示すように、液晶パネルＰＬは、複数の画素ｐｘを有して構成されている。複数の画素ｐｘは、有効画素領域の画素ｐｘ１０、有効画素領域の画素ｐｘ１０を囲むように配置された予備画素の領域である見切り画素領域の画素ｐｘ２０、および、見切り画素領域の画素ｐｘ２０を囲むように配置されたダミー画素領域の画素ｐｘ３０によって構成されている。以降、複数の画素ｐｘの全体、即ちｐｘ１０、ｐｘ２０およびｐｘ３０を合わせた領域を「全体画素領域」と呼ぶ。また、有効画素領域の画素ｐｘ１０および見切り画素領域の画素ｐｘ２０を合わせた領域を「表示画素領域」と呼ぶ。図２では、有効画素領域の画素ｐｘ１０は、白色の画素として表示しており、見切り画素領域の画素ｐｘ２０は、淡い網掛けした画素として表示し、ダミー画素領域の画素ｐｘ３０は、濃い網掛けした画素として表示している。
【００２４】
図２では、簡易化のために画素数を省略しているが、有効画素領域の画素ｐｘ１０は、例えば、横１９２０ピクセル、縦１０８０ピクセルとする。また、見切り画素領域の画素ｐｘ２０は、例えば、横方向左右に２ピクセル、縦方向上下に２ピクセルとする。ダミー画素領域の画素ｐｘ３０は、例えば、横方向左右に３ピクセル、縦方向上下に３ピクセルとする。なお、有効画素領域の画素ｐｘ１０、見切り画素領域の画素ｐｘ２０およびダミー画素領域の画素ｐｘ３０の画素数は、これに限定するものではない。
【００２５】
有効画素領域の画素ｐｘ１０には、入力された画像情報に基づく画像が表示される。見切り画素領域の画素ｐｘ２０には、通常は黒色の画素値、つまり光透過率が最小となる画素値が設定されているが、後述する画素ずれ補正がなされた際には、入力画像に基づく画素値が設定される場合がある。ダミー画素領域の画素ｐｘ３０には、ダミー画素領域用の画素値が設定される。なお、液晶ライトバルブ１２Ｒ，１２Ｇ，１２Ｂにおいて、ダミー画素領域は遮光されており、ダミー画素領域に相当する画像は、画像投写部１０から画像光として出力されない。
【００２６】
図１に戻り、液晶駆動部１４が、入力される画像情報に応じた駆動電圧を各画素ｐｘに印加すると、各画素ｐｘは、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２７】
制御部２０は、ＣＰＵ（Central Processing Unit）や、各種データ等の一時記憶に用いられるＲＡＭ、不揮発性のＲＯＭ等を備えており、ＲＯＭに記憶されている制御プログラムに従ってＣＰＵが動作することによりプロジェクター１の動作を統括制御する。
【００２８】
操作受付部２１は、ユーザーがプロジェクター１に対して各種指示を行うための複数の操作キーを備えている。本実施形態の操作受付部２１が備える操作キーとしては、電源のオン・オフを切り替えるための電源キー、入力された映像信号を切り替えるための入力切替キー、各種設定用のメニュー画像を表示させるメニューキー、メニュー画像における項目の選択等に用いられる方向キー、選択した項目を確定させるための決定キー等がある。
【００２９】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３０】
画像情報入力部３０は、複数の入力端子を備えており、これらの入力端子には、ビデオ再生装置やパーソナルコンピューター等、図示しない外部の画像供給装置から各種形式の画像情報が入力される。画像情報入力部３０は、入力された画像情報をデジタルの画像情報に変換し、その画像情報を画像処理部３１に出力する。
【００３１】
画像処理部３１は、画像情報入力部３０から入力されるデジタルの画像情報を、１画面（１フレーム）の画像毎にフレームメモリー（図示せず）に記憶する。このとき、画像処理部３１は、画像情報を、液晶ライトバルブ１２Ｒ，１２Ｇ，１２Ｂの有効画素領域の各画素ｐｘ１０の階調を表す画像データ、即ち各画素に印加する駆動電圧を規定するための画像データに変換して記憶する。
【００３２】
さらに、画像処理部３１は、制御部２０からの指示に基づいてスケーリングや画質調整処理を行う。ここで、画質調整処理とは、画像の表示状態（例えば、輝度、コントラスト、同期、トラッキング、色の濃さ、色合い等）の調整を行うことを示す。また、画像処理部３１は、メニュー画像等のＯＳＤ（オンスクリーンディスプレイ）画像を、入力画像に重畳することもできる。そして、画像処理部３１は、画像データを見切り画素付加部３２に出力する。この画像データを、有効画像データとする。また、この有効画像データが第１の画像データに相当し、画像処理部３１が、第１の画像データ生成部に相当する。
【００３３】
見切り画素付加部３２は、画像処理部３１から入力される有効画像データに対して、予備画素データ（外側画像データ）に相当する見切り画素データを付加した表示画像データを生成する。そして、表示画像データをダミー画素付加部３３に出力する。表示画像データが、第２の画像データに相当し、見切り画素付加部３２が、第２の画像データ生成部に相当する。
【００３４】
ここで、見切り画素データについて説明する。
図３は、見切り画素データについての説明図であり、（ａ）は、入力された画像情報に基づく有効画像データの説明図、（ｂ）は、見切り画素データを付加した表示画像データの説明図である。
【００３５】
図３（ａ）には、画像処理部３１から入力される有効画像データＧ１が表されており、有効画像データＧ１は、複数の有効画素データｐｘｄ１によって構成されている。図３（ｂ）には、有効画像データＧ１に対して、複数の見切り画素データｐｘｄ２が付加された表示画像データＧ２が表されている。図示するように、見切り画素データｐｘｄ２は、複数の有効画素データｐｘｄ１を囲むように配置されている。また、見切り画素データｐｘｄ２は、見切り画素付加部３２においては、黒色の画素値、つまり光透過率が最小となる画素値が設定される。表示画像データＧ２は、液晶パネルＰＬの表示画素領域に相当するデータである。
【００３６】
図３では、簡易化のために画素数を省略しているが、有効画素データｐｘｄ１は、液晶パネルＰＬの有効画素領域の画素ｐｘ１０と同様の、横１９２０ピクセル、縦１０８０ピクセルとする。また、見切り画素データｐｘｄ２は、見切り画素領域の画素ｐｘ２０と同様の、横方向左右に２ピクセル、縦方向上下に２ピクセルとする。
【００３７】
図１に戻り、ダミー画素付加部３３は、見切り画素付加部３２から入力される表示画像データＧ２に対して、ダミー画素データ（外側画像データ）を付加した全体画像データを生成する。即ち、有効画素データの外側にダミー画素データを付加している。そして、全体画像データを画像補正部３４に出力する。全体画像データが、第２の画像データに相当し、ダミー画素付加部３３が、第２の画像データ生成部に相当する。
【００３８】
ここで、ダミー画素データについて説明する。
図４は、ダミー画素データを付加した全体画像データの説明図である。
【００３９】
図４には、表示画像データＧ２に対して、複数のダミー画素データｐｘｄ３が付加された全体画像データＧ３が表されている。図示するように、ダミー画素データｐｘｄ３は、複数の見切り画素データｐｘｄ２を囲むように配置されている。ダミー画素データｐｘｄ３が付加された全体画像データＧ３は、液晶パネルＰＬの全体画素領域に対応する。また、前述したように、液晶ライトバルブ１２Ｒ，１２Ｇ，１２Ｂにおいて、ダミー画素領域の画素ｐｘ３０は遮光されており、ダミー画素データｐｘｄ３に相当する画像は、画像投写部１０から画像光として出力されない。なお、液晶パネルＰＬの品質保持のため、ダミー画素データｐｘｄ３には、所定の画素値が設定されている。
【００４０】
本実施形態では、ダミー画素データｐｘｄ３は、液晶パネルＰＬのダミー画素領域の画素ｐｘ３０と同様の、横方向左右に３ピクセル、縦方向上下に３ピクセルとする。
【００４１】
図１に戻り、画像補正部３４は、ダミー画素付加部３３から入力される全体画像データＧ３に対して、液晶パネルＰＬの特性に応じた補正処理を行う。具体的には、画像補正部３４は、制御部２０の指示に基づいて、全体画像データＧ３に対して、色むら補正、リバースチルトドメイン補正等の画像補正を行う。このような画像補正は、例えば、ルックアップテーブル（図示せず）等の補正用データを参照して補正される。なお、ルックアップテーブル等の補正用データは、プロジェクター１の製造・検査工程において、液晶パネルＰＬの特性を測定することによって生成されて、記憶される。
【００４２】
さらに、画像補正部３４は、画素ずれの補正（表示位置の調整）を行う。画素ずれとは、プロジェクター１の光学系の位置調整の精度等のばらつきのため、投写された画像において、各色光間の位置ずれによって発生する色ずれである。本実施形態では、このような色ずれを低減するため、制御部２０の指示に基づいて、画像補正部３４は、各色光の画像の表示位置を補正する。このような画素ずれ補正において、画像の表示位置が補正された場合に、前述した見切り画素データｐｘｄ２が使用される。画像補正部３４によって画像補正処理がなされた全体画像データＧ３は、液晶駆動部１４に出力される。
【００４３】
液晶駆動部１４が、画像補正部３４から入力される全体画像データＧ３に従って液晶ライトバルブ１２Ｒ，１２Ｇ，１２Ｂを駆動すると、液晶ライトバルブ１２Ｒ，１２Ｇ，１２Ｂによって画像データに応じた画像光に変調され、この画像光が投写レンズ１３から投写される。
【００４４】
上述した実施形態によれば、以下の効果が得られる。
（１）プロジェクター１の画像処理部３１は、入力される画像情報に基づいて、液晶ライトバルブ１２Ｒ，１２Ｇ，１２Ｂの有効画素領域内の各画素の階調を表す有効画像データＧ１を生成する。そして、見切り画素付加部３２は、有効画素領域の外側に、見切り画素データｐｘｄ２を付加した表示画像データＧ２を生成する。さらに、ダミー画素付加部３３は、見切り画素領域の外側に、ダミー画素データｐｘｄ３を付加した全体画像データＧ３を生成する。そして、画像補正部３４は、全体画像データＧ３に対して、画像の補正処理を行う。液晶駆動部１４は、画像補正がなされた全体画像データＧ３に基づいて、液晶ライトバルブ１２Ｒ，１２Ｇ，１２Ｂを駆動する。このように、プロジェクター１は、有効画像データＧ１に、見切り画素データｐｘｄ２およびダミー画素データｐｘｄ３が付加された全体画像データＧ３に対して画像補正をかける。つまり、液晶パネルＰＬの全体画素領域に対応する全体画像データＧ３に対して、色むら補正、リバースチルトドメイン補正等の液晶パネルＰＬの特性に応じた補正処理を行う。よって、有効画素領域に相当する有効画素データｐｘｄ１以外の、見切り画素データｐｘｄ２およびダミー画素データｐｘｄ３の影響によって発生する、液晶パネルＰＬの表示上の不具合を補正することが可能になる。これにより、液晶ライトバルブ１２Ｒ，１２Ｇ，１２Ｂから投写される画像の品質を向上することができる。
【００４５】
（２）プロジェクター１は、見切り画素データｐｘｄ２についても液晶パネルＰＬの特性に応じた補正処理を行う。つまり、有効画素ではないが、表示（投写）される画素である見切り画素についても、補正処理をかけることができるため、見切り画素部分の画像の品質の低下を抑制することができる。また、画素ずれ補正が行われて、見切り画素が黒色の画素以外となった場合にも、有効画素領域と同様な補正がかけられるため、画像品質において有益である。
【００４６】
（３）プロジェクター１は、ダミー画素データｐｘｄ３も含めて補正処理を行う。つまり、表示されないダミー画素であっても、表示画素領域の画素に対して影響を与える場合があるため、ダミー画素に対しても補正処理を行うことによって、表示画素領域内の画像の品質の低下を抑制することが可能になる。
【００４７】
なお、上述した実施形態に限定されず、種々の変更や改良等を加えて実施することが可能である。変形例を以下に述べる。
【００４８】
（変形例１）上記実施形態では、全体画素領域に対応する全体画像データＧ３について、補正処理を行うものとしたが、表示画素領域を含む所定の画素領域に対応する画素データの領域（画像データ）について、補正処理を行ってもよい。
【００４９】
（変形例２）上記実施形態では、画像補正部３４が行う補正処理を、色むら補正、リバースチルトドメイン補正等としたが、これに限定するものではない。液晶パネルＰＬ（電気光学装置）の特性に応じた補正処理であればよく、例えば、輝度むら補正やラインむら補正、クロストークの補正等としてもよい。
【００５０】
（変形例３）上記実施形態では、画像補正部３４で画素ずれの補正を行うものとしたが、見切り画素付加部３２で画素ずれの補正を行ってもよい。
【００５１】
（変形例４）上記実施形態では、見切り画素付加部３２およびダミー画素付加部３３を備えるものとしたが、いずれか一方を備えるものとしてもよい。ダミー画素付加部３３のみを備える場合には、ダミー画素付加部３３は、画像処理部３１から入力される有効画像データＧ１の外側に隣接して囲むようにダミー画素データ（外側画像データ）を付加し、画像データを生成する。この画像データを全体画像データとする。見切り画素付加部３２のみを備える場合には、見切り画素付加部３２は、画像処理部３１から入力される有効画像データＧ１の外側に隣接して囲むように見切り画素データ（外側画像データ）を付加し、画像データを生成する。この画像データを全体画像データとする。画像補正部３４は、入力される全体画像データに対して、液晶パネルＰＬの特性に応じた補正処理を行う。
【００５２】
（変形例５）上記実施形態では、画像表示装置としてプロジェクター１を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【００５３】
（変形例６）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００５４】
（変形例７）上記実施形態では、プロジェクター１は、電気光学装置（光変調装置）として、透過型の液晶ライトバルブ１２Ｒ，１２Ｇ，１２Ｂ、即ち液晶パネルＰＬを用いているが、反射型の液晶ライトバルブ等、反射型の電気光学装置を用いることも可能である。また、入射した光の射出方向を、画素としてのマイクロミラー毎に制御することにより、光源から射出した光を変調する微小ミラーアレイデバイス等を用いることもできる。
【符号の説明】
【００５５】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、３０…画像情報入力部、３１…画像処理部、３２…見切り画素付加部、３３…ダミー画素付加部、３４…画像補正部、ＰＬ…液晶パネル。
【図１】
2014098819.tif 000003
【図２】
2014098819.tif 000004
【図３】
2014098819.tif 000005
【図４】
2014098819.tif 000006